(57)【要約】【課題】  競馬場をはじめとする競馬情報を必要とする人がいる場所において、個々のファンが希望する情報を希望する表示形態で入手することができ、ユーザの競馬情報取得の利便性を図った競馬情報配信システムを提供すること。【解決手段】  各種の競馬情報を上位システム２０から入手し、所定の画面情報を作成し、する情報管理サーバ１と端末４１からの要求に応じて各種情報を配信する情報配信サーバ２とを有し、情報管理サーバ１は上位システム２０から入手した各種の競馬情報のどのデータが、画面用雛形である複数種のスタイルシートのどれに必要なデータかを設定ファイル１２に従ってスタイルシート毎に設定し、これを情報配信サーバ２の記憶部に設置し、情報配信サーバ２は、端末４１に専用の端末用アプリケーションプログラム、前記複数種のスタイルシート及びスタイルシートにより表示される競馬情報をそれぞれ保持し、これらを端末４１からの要求に応じて配信する。【選択図】図１
2007087328.tif 000002
【特許請求の範囲】
【請求項１】
各種の競馬情報を上位システムから入手し、画面用の情報を作成する情報管理サーバと、通信回線を介して接続される端末からの要求に応じて各種情報をダウンロードさせる情報配信サーバとを備え、
前記情報管理サーバは、上位システムから入手した各種の競馬情報のうち、どのデータが、画面作成用の雛形である複数種のスタイルシートに必要かを示した設定ファイルと、この設定ファイルの設定情報に基づいてスタイルシート毎に前記各種の競馬情報から必要なデータを選定するデータ設定手段とを有し、
前記情報配信サーバは、前記端末に専用の端末用アプリケーションプログラム、及びこの端末用アプリケーションプログラムで使用される前記複数種のスタイルシート、及び前記情報管理サーバによりスタイルシート毎に選定された競馬情報を保持する記憶部を有し、この記憶部に保持された前記各情報を、前記端末からの要求に応じてダウンロードさせる
ことを特徴とする競馬情報配信システム。
【請求項２】
前記情報管理サーバは、前記競馬情報毎に予め指定された時刻までに前記情報配信サーバの記憶部にデータ設定し、前記端末からの要求によりダウンロード可能なようにスケジューリングすることを特徴とする請求項１に記載の競馬情報配信システム。
【請求項３】
前記情報配信サーバは、前記端末からの要求により、前記端末の種類に対応して複数種を有する端末用アプリケーションプログラムのうち、対応する端末用アプリケーションプログラムをダウンロードサイト経由でダウンロードさせるとともに、複数種のスタイルシートから任意のスタイルシート、及びこのスタイルシートに対応して選択された前記競馬情報をダウンロードさせることを特徴とする請求項１に記載の競馬情報配信システム。
【請求項４】
前記端末用アプリケーションプログラムは、前記スタイルシートの画面調整のための項目を選択可能であるとともに、前記スタイルシートに対して予め用意してあるいくつかの追加機能を、任意に選択して追加できることを特徴とする請求項１に記載の競馬情報配信システム。
【請求項５】
前記スタイルシートは、予め用意されている前記競馬情報に関する複数種のビューのうち、いずれかを任意に選択して画面表示させることができ、さらに、この表示された画面中の特定データを任意に選定して表示させるデータ編集機能を有することを特徴とする請求項１に記載の競馬情報配信システム。
【請求項６】
前記スタイルシートは、予めに用意されている前記競馬情報に関する複数種の機能のうち、いずれかを任意に選択でき、この選択された機能に対応して表示される画面を操作することにより、前記機能を実行できることを特徴とする請求項１に記載の競馬情報配信システム。
【請求項７】
前記端末用アプリケーションプログラムは、前記スタイルシートに希望する情報を選定して、端末から前記情報配信サーバに要求する機能を有し、
前記情報管理サーバは、前記端末から前記情報配信サーバに要求のあった希望情報に基き対応する情報を上位システムから入手し、対応する前記スタイルシート前記対応させ前記情報配信サーバの記憶部にデータ設定し、前記端末にダウンロードさせるように構成した
ことを特徴とする請求項１に記載の競馬情報配信システム。
【発明の詳細な説明】
【技術分野】
【０００１】
本発明は、個々の競馬ファンが保有する携帯型の端末に、競馬ファンが希望する各種の競馬情報を配信できる競馬情報配信システムに関する。
【背景技術】
【０００２】
個々の競馬ファンが、競馬場内で出走レースなどに関する各種の競馬情報を知るためには、不特定多数のファンに対し周知を目的として放送放映している、競馬場内のテレビ画面や案内放送等の装置より情報を収集していた。この場合、各競馬ファンは、情報収集のために一々その端末付近に行く手間がかかっていた。また、個々の競馬ファンは、競馬場やウインズのテレビ等に表示された、形式が決められた競馬情報を参照する。故に競馬ファンがデータ集計をする際には、各自が欲しい情報をメモなどで、手動で集計・整理する手間がかかっていた。
【０００３】
そこで、各競馬ファンが保有する携帯性の情報端末に、中間オッズデータなどの競馬情報を送信することが考えられ、各種の提案がなされている（例えば、特許文献１参照）。
【特許文献１】特開２００４−１５７９１１号公報
【発明の開示】
【発明が解決しようとする課題】
【０００４】
しかし、これまでのこの種技術では、送信側で作成した定形の中間オッズ情報などを一方的に受信するものが殆どであり、個々のファンが希望する情報を希望する表示形態で入手することは困難であった。
【０００５】
本発明の目的は、競馬場をはじめとする競馬情報を必要とする人がいる場所において、個々のファンが希望する情報を希望する表示形態で入手することができ、ユーザの競馬情報取得の利便性を図った競馬情報配信システムを提供することにある。
【課題を解決するための手段】
【０００６】
本発明の競馬情報配信システムは、各種の競馬情報を上位システムから入手し、画面用の情報を作成する情報管理サーバと、通信回線を介して接続される端末からの要求に応じて各種情報をダウンロードさせる情報配信サーバとを備え、前記情報管理サーバは、上位システムから入手した各種の競馬情報のうち、どのデータが、画面作成用の雛形である複数種のスタイルシートに必要かを示した設定ファイルと、この設定ファイルの設定情報に基づいてスタイルシート毎に前記各種の競馬情報から必要なデータを選定するデータ設定手段とを有し、前記情報配信サーバは、前記端末に専用の端末用アプリケーションプログラム、及びこの端末用アプリケーションプログラムで使用される前記複数種のスタイルシート、及び前記情報管理サーバによりスタイルシート毎に選定された競馬情報を保持する記憶部を有し、この記憶部に保持された前記各情報を、前記端末からの要求に応じてダウンロードさせることを特徴とする。
【０００７】
本発明では、前記情報管理サーバは、前記競馬情報毎に予め指定された時刻までに前記情報配信サーバの記憶部にデータ設定し、前記端末からの要求によりダウンロード可能なようにスケジューリングする。
【０００８】
また、本発明では、前記情報配信サーバは、前記端末からの要求により、前記端末の種類に対応して複数種を有する端末用アプリケーションプログラムのうち、対応する端末用アプリケーションプログラムをダウンロードサイト経由でダウンロードさせるとともに、複数種のスタイルシートから任意のスタイルシート、及びこのスタイルシートに対応して選択された前記競馬情報をダウンロードさせることができる。
【０００９】
また、本発明では、前記端末用アプリケーションプログラムは、前記スタイルシートの画面調整のための項目を選択可能であるとともに、前記スタイルシートに対して予め用意してあるいくつかの追加機能を、任意に選択して追加できる。
【００１０】
また、本発明では、前記スタイルシートは、予め用意されている前記競馬情報に関する複数種のビューのうち、いずれかを任意に選択して画面表示させることができ、さらに、この表示された画面中の特定データを任意に選定して表示させるデータ編集機能を有する。
【００１１】
また、本発明では、前記スタイルシートは、予めに用意されている前記競馬情報に関する複数種の機能のうち、いずれかを任意に選択でき、この選択された機能に対応して表示される画面を操作することにより、前記機能を実行できる。
【００１２】
また、本発明では、前記端末用アプリケーションプログラムは、前記スタイルシートに希望する情報を選定して、端末から前記情報配信サーバに要求する機能を有し、
さらに、本発明では、前記情報管理サーバは、前記端末から前記情報配信サーバに要求のあった希望情報に基き対応する情報を上位システムから入手し、対応する前記スタイルシート前記対応させ前記情報配信サーバの記憶部にデータ設定し、前記端末にダウンロードさせるように構成してもよい。
【発明の効果】
【００１３】
本発明によれば、ユーザが保有する端末を用いて競馬情報を参照可能にしたことにより、ユーザが場所を選ばず、必要とするだけのデータを取得できる。また、データ参照をするアプリケーション（ビューア）にデータ編集機能を持たせたことにより、データ集計を手軽に大量に行うことを可能とした。すなわち、競馬場をはじめとする競馬情報を必要とする人がいる場所において、個人向けに競馬情報を発信する形式を採ったこと、受信データのビューアにデータ編集機能を付加したことにより、ユーザの競馬情報取得の利便性を向上させた。さらに、この機能の実現にスタイルシートを用い、ユーザに機能を用いるかの選択をさせ、アプリケーションの柔軟性を増加させた。このスタイルシートは画面の色やサイズなどの画面調整も行える。
【発明を実施するための最良の形態】
【００１４】
以下、本発明による競馬情報配信システムの一実施の形態について、図面を用いて詳細に説明する。
【００１５】
図１は、システムの全要素を示し、システム全体の概要を表したものである。各競馬場におけるサーバ−クライアントの関係と、利用される装置が示されている。各々の装置は、データの送受信を行い、競馬情報を個人向けに配信するシステムである。
【００１６】
図１において、１０は競馬情報配信システムで、各種の競馬情報を上位システム２０から入手し、所定の画面情報を作成する。そして、作成した画面情報などを、インターネット、無線LAN回線などの一般個人向け通信回線３１により、個人保有の端末４１からの要求に応じて、各種情報をダウンロードできるように構成されている。すなわち、個人保有の端末４１は、専用アプリケーションプログラム（以下、単にアプリケーションと呼ぶ）６をインストールし、データ受信可能に設定される。この専用アプリケーション６は端末の種類により１種類であるが、スタイルシート５と呼ばれる画面作成の雛型により、画面の色形などの形式や、表示させたいデータの種類を選定できる。このスタイルシート５は、ユーザが端末４１から任意に選択可能である。したがって、このスタイルシート５は端末４１ごと、機能ごとに異なる。この為、一意に区別するために通し番号（１，２，・・・，ｉ）が割り振られている。図１では２番目のスタイルシートが選択され、画面を作成している。
【００１７】
前記上位システム２０は、競馬主催者であるＪＲＡなどが所管するもので、競馬場向けの競馬情報（オッズ情報、お知らせ情報＝馬体重・騎手変更など、競走成績情報、発売状況情報等）を保持している。この上位システム２０は、図示競馬情報配信システム１０を含む種々の競馬情報処理システムに対し、前記情報を電文等の形式で送出する。
【００１８】
競馬情報配信システム１０は、情報管理サーバ１と情報配信サーバ２とを有する。
【００１９】
情報管理サーバ１は、上位システム２０から入手した各種の競馬情報のうち、どのデータが前記スタイルシート５のどれに表示される競馬情報かを、スタイルシート５毎に設定した設定ファイル（initialファイル）１２を保持し、設定手段１１により、スタイルシート５毎に必要なデータを対応させて、後述する前記情報配信サーバ２１の記憶部に設置する。
【００２０】
すなわち、情報管理サーバ１は、主に設定手段１１の機能を利用し、上位システム２０より受信した電文に基き、各スタイルシート５向けに競馬情報を選定した後、情報配信サーバ２に設定する。このため、配信する情報のスケジューリング、馬券発売削除（出走取り消しによる）による配信制御、通し番号ｉのスタイルシート５に対して、どのデータが必要かを示した設定ファイル１２の保持に関する機能をそれぞれ有している。
【００２１】
なお、上記配信する情報のスケジューリングとは、競馬情報毎に予め指定された時刻までに情報配信サーバ２の記憶部にデータ設定し、端末４１からの要求によりダウンロード可能なようにスケジューリングすることを言う。すなわち、オッズなどの各種競馬情報は、発走時間を基準として、その何分（時間）前までに発表するように定められており、このようなタイミングにダウンロード可能なようにスケジューリングすることである。
【００２２】
ここで、情報管理サーバ１は、競馬情報を送信してくる上位システム２０と専用線で接続されており、下位の情報配信サーバ２とはＬＡＮ接続している。
【００２３】
情報配信サーバ２は、記憶部２１、２２を有し、記憶部２１により、前記端末４１に専用の端末用アプリケーション６、及びこの端末用アプリケーションで使用される複数種のスタイルシート５を保持する。スタイルシート５は、前述のように、表示形態や表示情報が異なる画面作成用の雛形である。また記憶部２２により、スタイルシート５により表示される情報を含む各種競馬情報を保持している。そして、これら端末用アプリケーション６、スタイルシート５、及びスタイルシート５により表示される情報を含む各種競馬情報を、端末４１からの要求に応じてダウンロードさせ、配信する。
【００２４】
すなわち、この情報配信サーバ２は、端末４１に対して種々の回線３１とプロトコルで接続し、記憶部２１、２２に保持している各種データを配信するのが主な役割である。このため、情報配信サーバ２は以下の機能を有している。すなわち、端末用アプリケーション（ビューア）６の保持機能（管理者による登録）、端末用アプリケーション６の配信機能（httpプロトコル）、スタイルシート５の登録管理機能（管理者による登録）、スタイルシートの配信機能（httpプロトコル）、各スタイルシートに対応して選定された表示用データの配信機能（ユーザダウンロード）である。
【００２５】
端末４１は、競馬情報配信システム１０が配信するデータを参照するための情報受信用の端末で、携帯電話やＰＤＡ（Personal Digital Assistant：携帯情報端末）など、各個人が保有しているものである。各個人は、この端末４１により一般者向けの通信回線（ネットワーク）３１を利用し、情報配信サーバ２へアクセスし、必要とする情報を参照する。
【００２６】
上記構成において、端末４１を有するユーザは、先ず、専用の端末用アプリケーション（画面ビューア及びデータ編集機能）６をインストールする。この端末用アプリケーション６のインストールは、図２で示すように、携帯Webサイトからのダウンロードにて行う方法とＰＣ等の外部機器を経由する方法とがある。すなわち、まず、アプリケーションダウンロードサイトにアクセスする（ステップ２０１）。このアクセスがモバイル端末によるアクセスであれば（ステップ２０２：Yes）であれば、形態専門サイトから、端末４１に端末用アプリケーション６をダウンロードし（ステップ２０３）、端末４１へ自動インストールする（ステップ２０６）。
【００２７】
アクセスがモバイル端末でない場合（ステップ２０２：No）、サイトよりＰＣ（パーソナルコンピュータ）など外部機器に端末用アプリケーション６をダウンロードし、インストールする（ステップ２０４）。その後、外部機器のアプリケーションによりクレードルやＵＳＢケーブルを経由して端末４１向けにデータを転送し（ステップ２０５）、端末４１へ自動インストールする（ステップ２０６）。
【００２８】
いずれの場合も、図２にあるようにwebページより端末用アプリケーション６をダウンロードするという手順は同様である。
【００２９】
図５は、アプリケーションを保存してある携帯サイトの例を、端末４１内部のブラウザによりダウンロードして表示した状態を示している。このような携帯サイトより端末用アプリケーション６をダウンロードし、端末４１にインストールする。ここで、図示のように、端末用アプリケーション６は端末の種類ごとに用意しているので、端末４１の機種に対応するものを選択しダウンロードする。また、スタイルシート５についても、図示のように数種類用意してあるので、希望する形態・機能のスタイルシートを任意に選択しダウンロードする。なお、図示したスタイルシートの例は、一般ユーザ向けに解り易く機能表示しているが、前述したように通し番号（１，２，・・・，ｉ）により一意に区別されたものである。
【００３０】
このように端末４１は、情報配信サーバ２に対し、端末用アプリケーション６及びスタイルシート５を指定してダウンロードできる。すなわち、情報配信サーバ２は、ダウンロードサイトを経た端末４１からの要求により、端末４１の種類に対応する端末用アプリケーション６をダウンロードさせるとともに、複数種のスタイルシートから任意のスタイルシート５をダウンロードさせる。
【００３１】
一方、競馬情報配信システム１０は、上位システム２０より電文形式の競馬情報を受信し、情報管理サーバ１により、図３で示すように、スタイルシート５に合わせたデータ作成と、情報配信サーバ２へのデータ登録を行う。
【００３２】
図３において、競馬情報配信システム１０は、まず、上位システム２０のデータを受信（電文）する（ステップ３０１）。情報管理サーバ１は各スタイルシート５について、受信した電文を必要とするか判断する（ステップ３０２）。その結果、Ｎ番目のスタイルシート５が受信した電文を必要とする場合は、この必要とするデータ（電文）を、設定ファイル（iniファイル）１２に従って選出し（ステップ３０３）、図示しないローカルメモリ上へデータを設置する（ステップ３０４）。この後、後続する情報配信サーバ２の記憶部２１，２２にそのデータを設置する（ステップ３０５）。これをスタイルシート５の通し番号が最大になる（ステップ３０６）まで繰り返し行う。
【００３３】
このように情報管理サーバ１は、上位システム２０から入手した各種の競馬情報のうち、どのデータがスタイルシート５のどれに表示される競馬情報かを、設定ファイル１２に従って選定し、これを保持する。そして、この選定された必要なデータをスタイルシート５毎に対応させて、情報配信サーバ２の記憶部２１，２２に設置する。
【００３４】
情報配信サーバ２は、端末４１からのユーザの要求に従い、端末４１向けに競馬情報を配信するhttpサーバであり、クライアントの選定したスタイルシート５の番号に基づき、対応するデータを送信する。
【００３５】
次に、一般ユーザが端末４１を用いて各種の情報を入手する過程を説明する。
【００３６】
図６は、端末４１にインストールされたアプリケーション６を起動したときの初期画面（メイン画面）を表している。この画面起動の後、各機能を実現する画面へ遷移をする。図の例では、初期設定として画面選定をユーザに促している。すなわち、初期設定では画面設定を必須としているので、「２．画面設定」以外にはマスクをかけ、選択不能としている。
【００３７】
上記メイン画面にて「２．画面設定」を設定すると、画面の詳細設定を行うための調整画面に遷移する。図７は、上記図６の「画面設定」を選択したことにより遷移した１画面であり、画面調整項目を含んでいる。図７では、スタイルシート５に依存して画面を調整する項目が増える場合と、増えない場合を示している。図示上半分の、色などの項目は、ディフォルトの調整項目となり、スタイルシートに依存するが、増減はしない設定項目である。図示下半分はユーザにより追加可能機能を選択する画面で、ユーザの選択により項目が増減する。
【００３８】
このように、端末用アプリケーション６は、選択されたスタイルシート５の画面調整のための項目を選択可能であるとともに、スタイルシート５に対して予め用意してあるいくつかの追加機能を、任意に選択して追加できる。ここで、スタイルシート５がどのように追加画面を構築・影響するかを説明する。
【００３９】
図８はスタイルシート５毎に表示データを追加・変更する仕組み（ＨＴＭＬでの例）をあらわしている。スタイルシート５により追加機能選択が操作されると、図８（ａ）で示す記述が挿入され、同図（ｂ）で示すボタンを追加する（可視化される）。図８（ａ）では画面の作成にhtmlを用いる例であるが、アプリケーションが独自形式で画面を作る場合もある。この例では、図示のように、あるデータを参照しに行くサーバのアドレスが記述されており、これを元にサーバのデータ参照をする。すなわち、ページには既にボタンやテキストフィールドなどのコンポーネントが登録されているが、不可視化されている。これを、スタイルシートを操作することにより可視化し、機能を追加する仕組みである。
【００４０】
このように、不可視化された画面コンポーネントをスタイルシートにより可視化して、更に表示や編集などの機能を実現するデータのサーバ参照先を追加する。これによりユーザが多数のコンポーネントを無理に登録することを防ぐことができる。
【００４１】
図９は、メイン画面（図６）により呼ばれる競馬情報に関する「データビュー」の選択画面である。この画面でどの競馬情報をビューするかを選択する。図中、１〜７はビューできる内容であり、現在はオッズが選択され、さらに、その中でも「単勝」が選択されていることを表している。この選択操作により、オッズ表示画面を構築した例を図１０に示す。
【００４２】
なお、図１０では、レース場の状況（砂、ダートなど）に関するデータは表示しない例である。こういったスタイルシート５の表示は、端末４１にダウンロードしたスタイルシート５中、どれを用いるかをユーザが選択することにより実現される。さらに、図１０中にあるように、アプリケーションあるいはスタイルシートは、どのようなオッズを表示するかを選択できる、データ編集機能も保持している。すなわち、予め必要とされるデータの整理方式を提供し、データの取り出しを実現する機能を付加している。
【００４３】
このように、スタイルシート５は、予めに用意されている競馬情報に関する複数種のビューのうち、いずれかを任意に選択して画面表示させることができる。さらに、データ編集機能により、この表示された画面中の特定データ、例えば、図１０中のオッズに関する表示形態を任意に選定して表示させることができる。
【００４４】
図１１は、メイン画面（図６）により呼ばれる「その他の機能」を実現する選択画面である。この画面が表示されると、ユーザはどの機能を使用するかを選択する。図１１の画面で「馬券購入」機能を選択すると、図１２の画面に遷移する。この図１２の画面は、競馬情報ビュー以外の「その他の機能」の内、アプリケーション内に馬券購入機能を付加した画面である。この画面により、ユーザは馬券の賭け式をラジオボタンにより指定し、買い取り馬番をチェックボックス形式で選択し、指定する。その後「次へ」のボタンを押下することで図１３の確認画面を出力し、確認後肯定を示すボタン（「はい」ボタン）を押下し、馬券購入を実行する。この馬券購入は、インターネット購入などと同経路である。
【００４５】
ここで、端末アプリケーション６では、上述のような各画面の更新を次のように行っている。すなわち、標準的な画面更新時間と、サーバへの割り込みデータの有無を端末独自にチェックする時間との２つに従い、サーバの競馬情報チェックして行っている。このフローを図４に示す。
【００４６】
図４において、アプリケーション６が起動されると（ステップ４０１）、スタイルシート５の通し番号に対応したサーバのアドレスより、競馬情報、現在時刻、次回までの標準画面更新時間データをそれぞれダウンロードし（ステップ４０２）、端末用アプリケーション６が、順次データを画面のフィールドに表示する（ステップ４０３）。次に、標準画面更新時間に達しないかを判断し（ステップ４０４）、その結果、達していれば（ＮＯ）上述のステップ４０２以降を繰り返し、次の競馬情報に関するデータをダウンロードする。反対に達していなければ（ＹＥＳ）、画面更新時刻外の割り込みデータの有無の確認時間に達したかを判断する（ステップ４０５）。
【００４７】
画面更新時刻外の割り込みデータの有無確認時間に達していなければ（ＮＯ）、ステップ４０４に戻り、再度標準画面更新時間に達しないかを判断する。これに対し、割り込みデータの有無確認時間に達していれば（ＹＥＳ）、サーバへ画面更新時刻外の割り込みデータの有無を確認し（ステップ４０６）、画面更新時刻外の割り込みデータ有り（ＹＥＳ）であれば、上述のステップ４０２以降を繰り返し、無ければ（ＮＯ）再びステップ４０４に戻り、標準画面更新時間に達しないかを判断する。
【００４８】
このような処理により、各画面の更新が自動的に行われる。
【００４９】
なお、次回更新時刻＝現在時刻（絶対時間）＋次回までの更新時間（相対時間）であるが、この等式が狂っていた場合、アプリケーション内の時計の進行を修正する機能が存在する。
【００５０】
このように、この実施の形態では、エンドユーザの情報取得手段を携帯電話端末あるいはＰＤＡなどによる端末４１としたことにより、エンドユーザが競馬場内に固定された情報機器を見に行く手間が省ける効果がある。また、コンテンツビューアー（専用アプリケーション）に付属する競馬情報編集機能により、ユーザが必要とするデータを受信直後、大量に整理しておける効果がある。また、アプリケーションの一般的な機能として、個人保有の端末中の記憶装置に、情報を貯めることができる。更にデータを別の端末に移動でき、画像・動画データなどはその保持が容易となる。また、携帯端末など使用数の多い端末向けの情報参照を行えば、競馬情報公知のための施設を少数化できる可能性がある。
【００５１】
次に、図１４で示す実施の形態を説明する。この実施の形態では、端末４１は情報配信サーバ２より受信したデータを取捨選択するのではなく、必要なデータのみを要求し、送信されるデータ量を少なくしている。
【００５２】
すなわち、図１４において、まず、端末４１から競馬情報配信システム１０に対して、必要とするデータをスタイルシート５を用いて要求する（ステップ１４０１）。競馬情報配信システム１０では、情報管理サーバ１が、端末４１からの要求に基いて上位システム２０へ必要なデータを要求する（ステップ１４０２）。この要求により、上位システム２０から必要なデータを電文受信すると（ステップ１４０３）、このデータを情報管理サーバ１のローカルメモリに設置し（ステップ１４０４）、さらに、情報配信サーバ２の記憶部２１，２２に蓄積し、端末４１へダウンロードさせる（ステップ１４０５）。
【００５３】
このように、端末用アプリケーション６は、スタイルシート５に入手を希望する情報を選定して、端末４１から情報配信サーバ２に要求する機能を有する。また、情報管理サーバ１は、端末４１から情報配信サーバ２へ要求のあった入手希望情報に基き、対応する情報を上位システム２０から入手する。そして、入手した情報をスタイルシート５に対応させて、情報配信サーバ２の記憶部２１，２２にデータ設定し、端末４１にダウンロードさせるように構成した。
【００５４】
これにより配信要求時は、サーバ２のデータトラフィックが混雑するが、配信データが少なくて済む効果がある。
【図面の簡単な説明】
【００５５】
【図１】本発明にかかる競馬情報配信システムの一実施の形態を示す機能ブロック図である。
【図２】本発明にかかる競馬情報配信システムの一実施の形態における端末用アプリケーションのインストール手順を示すフローチャートである。
【図３】本発明にかかる競馬情報配信システムの一実施の形態における情報管理システムによるスタイルシートにあわせたデータ作成手順及び情報配信サーバへのデータ登録手順を示すフローチャートである。
【図４】本発明にかかる競馬情報配信システムの一実施の形態における端末用アプリケーションによる画面更新処理を説明するフローチャートである。
【図５】本発明にかかる競馬情報配信システムの一実施の形態におけるダウンロードサイトの表示例を示す画面図である。
【図６】本発明にかかる競馬情報配信システムの一実施の形態における端末用アプリケーション起動時の初期画面図である。
【図７】本発明にかかる競馬情報配信システムの一実施の形態における初期画面から遷移した画面調整のためのアプリケーション画面図である。
【図８】本発明にかかる競馬情報配信システムの一実施の形態におけるスタイルシート毎に表示データを追加する仕組みを説明しており、（ａ）はその仕組みを表す図、（ｂ）は仕組みにより追加されたボタンを示す図である。
【図９】本発明にかかる競馬情報配信システムの一実施の形態におけるビューの種類選択画面図である。
【図１０】本発明にかかる競馬情報配信システムの一実施の形態における選択されたビューの一例であるオッズ画面図である。
【図１１】本発明にかかる競馬情報配信システムの一実施の形態における初期画面から遷移したその他機能の選択画面図である。
【図１２】本発明にかかる競馬情報配信システムの一実施の形態におけるその他機能の一例である馬券購入操作画面図である。
【図１３】本発明にかかる競馬情報配信システムの一実施の形態における馬券購入のための確認画面図である。
【図１４】本発明にかかる競馬情報配信システムの他の実施の形態における処理を説明するフローチャートである。
【符号の説明】
【００５６】
１    情報管理サーバ
２    情報配信サーバ
５    スタイルシート
６    端末用アプリケーション
１０    競馬情報配信システム
１１    データ設定手段
１２    設定ファイル
２０    上位システム
２１，２２    記憶部
３１    通信回線
４１    端末
【図１】
2007087328.tif 000003
【図２】
2007087328.tif 000004
【図３】
2007087328.tif 000005
【図４】
2007087328.tif 000006
【図５】
2007087328.tif 000007
【図６】
2007087328.tif 000008
【図７】
2007087328.tif 000009
【図８】
2007087328.tif 000010
【図９】
2007087328.tif 000011
【図１０】
2007087328.tif 000012
【図１１】
2007087328.tif 000013
【図１２】
2007087328.tif 000014
【図１３】
2007087328.tif 000015
【図１４】
2007087328.tif 000016